(57)【要約】【目的】  製作調整のための時間が不要で直ちに利用することができる即応性を有し、軽量で廉価であり、患部に肉体的な負担がかからず、開脚時の安定性に優れ、歩行バランスが取り易く、歩幅ストレスや走行中の違和感の少ない義足の実現を目的とする。【構成】  障害のある側の体側に沿って体重を支える支軸１と、この支軸１に設けられ片手で握って体重のバランスを取る支持レバー２と、前記支軸１を使用者の身体に装着し前記支軸にかかる力を分散するフレーム３、ハーネスシート４、腰ベルト５、懸垂ベルト６および連結部７などからなる装着手段とを具備することを特徴とする。【選択図】            図２
2006305123.tif 000002
【特許請求の範囲】
【請求項１】
障害のある側の体側に沿って体重を支える支軸と、
この支軸に設けられ片手で握ることでこの支軸にかかる体重を分散し歩行バランスを取る支持レバーと、
前記支軸を使用者の身体の一部に装着し、前記支軸にかかる力を分散する装着手段とを具備することを特徴とする義足。
【請求項２】
前記装着手段は、腰部に固定され支軸にかかる力を逃す腰帯手段と、この腰帯手段と前記支軸を繋ぐ接続手段とを有することを特徴とする請求項１に記載の義足。
【請求項３】
前記装着手段は、障害のある側の大腿部にあるいは両方の大腿部のそれぞれに巻きつけて前記支軸を固定するように構成された巻装固定手段を有することを特徴とする請求項１に記載の義足。
【請求項４】
前記装着手段は、前記支軸に固着され前記支軸にかかる力を身体の広い範囲に分散する緩衝手段を有することを特徴とする請求項１に記載の義足。
【請求項５】
前記装着手段は、両脚の大腿部の根元に着く二つの輪状部分を具備する輪状固定手段を有することを特徴とする請求項１に記載の義足。
【請求項６】
前記輪状固定手段の輪状部分の一方を大腿部に巻きつけるように構成された巻装固定手段で置き換えたことを特徴とする請求項５に記載の義足。
【請求項７】
前記装着手段は、前記支軸の上部に腰掛可能に設けられた腰掛部を有することを特徴とする請求項１に記載の義足。
【請求項８】
前記装着手段は、前記腰帯手段と装着手段の他の部分を繋ぐ懸垂手段を有することを特徴とする請求項２に記載の義足。
【請求項９】
前記支軸は下方が身体の内側に向けて湾曲あるいは屈曲され、前記支軸先端の地面に接する部分が身体の重心の下に位置するように構成されていることを特徴とする請求項１乃至請求項８のいずれか１項に記載の義足。
【請求項１０】
前記支軸は膝位置での屈曲を可能にする膝継手手段を有することを特徴とする請求項１乃至請求項９のいずれか１項に記載の義足。
【請求項１１】
前記支軸は腰位置での屈曲を可能にする腰継手手段を有することを特徴とする請求項１乃至請求項１０のいずれか１項に記載の義足。
【請求項１２】
前記支軸はその長さを調整可能な長さ調整手段を有することを特徴とする請求項１乃至請求項１１のいずれか１項に記載の義足。
【請求項１３】
前記支持レバーは前記支軸に添って畳み込み可能に構成されていることを特徴とする請求項１乃至請求項１２のいずれか１項に記載の義足。
【請求項１４】
前記支持レバーは前記支軸に対して任意の角度で固定可能に構成されていることを特徴とする請求項１乃至請求項１３のいずれか１項に記載の義足。
【請求項１５】
前記支持レバーは前記支軸に沿って高さ位置調節可能に構成されていることを特徴とする請求項１乃至請求項１４のいずれか１項に記載の義足。
【発明の詳細な説明】
【技術分野】
【０００１】
本発明は、義足に関し、特に多くの利用者に汎用に利用することができ、且つ短い歩行訓練期間で利用することができる義足に関する。
【背景技術】
【０００２】
従来の義足は、利用者の障害位置（切断部位）や身長などに合わせて受注生産で作成される場合が殆どであり、そのため、型取りから納品まで約３ヶ月の長時間を要し、高額であるという問題を有していた。さらに、従来の義足は義足上部に設けられているソケットと呼ばれる筒状の部分に切断端（切断部位）を差し込む形式であるため、身長の概ね５５〜５８％の位置、つまり第一仙椎の前縁部の骨盤の中央部附近にある重心よりも低い位置の作用点で歩行バランスを取る必要があり、バランスが取り難く、また、切断端で体重荷重を支える必要があるため、肉体的負担が大であり、装着後に長期間の歩行訓練を必要としていた。さらに、成長に伴って新しい義足を用意しなくてはならないという問題もあった。また、義足製造担当者には国家資格免許が必要であって、これも、納期や価格の面での障害になっていた。
【０００３】
このような問題を解決する手段として、例えば、股下にサドルを設け、ベルトで固定するようなサドル型の義足が報告されている（例えば、特許文献１参照。）。図２６にこのサドル型の義足の使用状況の模式図を示す。
この義足は、固定鞘管に回転自在のスライド管を回転自在に挿通して調節ピンで高さを調節できるようにした支軸１１の天端に一輪車に用いるようなサドル１２を固定し、支軸下部に締め付けバンド１５を設け、さらに、サドル１２を上方に牽引するための牽引ベルト１６とこの牽引ベルト１６を腰部で保持する腰ベルト１７を設けたものである。
この方式では、患部（切断部）へ力がかからないため、患部の肉体的な負担はなく、リハビリも不要である。また、既製品を調節して用いることができるので、左右どちらにも対応でき、身長調整も容易であり、製作調整の期間は不要で、即応性があり、さらに廉価（従来の１／８程度）で提供することができるという長所がある。
しかし、このサドル型の義足は、重心よりも低い位置でバランスを取らねばならないので、開脚時には安定性が少なく、利用者が意図する歩幅に比べて実際の歩幅が小さくなり、歩行に違和感があるなどの問題があった（特許文献１参照）。
【特許文献１】特開２００２−３４７１７号公報
【発明の開示】
【発明が解決しようとする課題】
【０００４】
上述の従来の義足の問題を解決するために、発明者は先に、支軸と装着手段と体重支持手段と固定手段を設けた即応性、汎用性のある既製の義足を提案した。本発明は、この提案をさらに改良して、体重の分散とバランス面で一層の安定を図った既製の義足を提案する。
本発明は、比較的簡単な方法で従来の義足の問題を解決して、製作調整のための時間が不要で直ちに利用することができる即応性を有し、軽量で廉価であり、患部に肉体的な負担がかからず、開脚時の安定性に優れ、体重が分散されて歩行バランスが取り易く、歩幅ストレスや走行中の違和感の少ない義足の実現を課題とする。
【課題を解決するための手段】
【０００５】
上記課題を解決するため、本発明の請求項１に記載の義足は、  障害のある側の体側に沿って体重を支える支軸と、この支軸に設けられ片手で握ることでこの支軸にかかる体重を分散し歩行バランスを取る支持レバーと、前記支軸を使用者の身体の一部に装着し、前記支軸にかかる力を分散する装着手段とを具備することを特徴とする。
【０００６】
上記課題を解決するため、本発明の請求項２に記載の発明は、請求項1に記載の義足において、前記装着手段は、腰部に固定され支軸にかかる力を逃す腰帯手段と、この腰帯手段と前記支軸を繋ぐ接続手段とを有することを特徴とする。
【０００７】
上記課題を解決するため、本発明の請求項３に記載の発明は、請求項１に記載の義足において、前記装着手段は、障害のある側の大腿部にあるいは両方の大腿部のそれぞれに巻きつけて前記支軸を固定するように構成された巻装固定手段を有することを特徴とする。
【０００８】
上記課題を解決するため、本発明の請求項４に記載の発明は、請求項1に記載の義足において、前記装着手段は、前記支軸に固着され前記支軸にかかる力を身体の広い範囲に分散する緩衝手段を有することを特徴とする。
【０００９】
上記課題を解決するため、本発明の請求項５に記載の発明は、請求項1に記載の義足において、前記装着手段は、両脚の大腿部の根元に着く二つの輪状部分を具備する輪状固定手段を有することを特徴とする。
【００１０】
上記課題を解決するため、本発明の請求項６に記載の発明は、請求項５に記載の義足において、前記輪状固定手段の輪状部分の一方を大腿部に巻きつけるように構成された巻装固定手段で置き換えたことを特徴とする。
【００１１】
上記課題を解決するため、本発明の請求項７に記載の発明は、請求項1に記載の義足において、前記装着手段は、前記支軸の上部に腰掛可能に設けられた腰掛部を有することを特徴とする。
【００１２】
上記課題を解決するため、本発明の請求項８に記載の発明は、前記装着手段は、請求項２に記載の義足において、前記腰帯手段と装着手段の他の部分を繋ぐ懸垂手段を有することを特徴とする。
【００１３】
上記課題を解決するため、本発明の請求項９に記載の発明は、請求項1乃至請求項８のいずれかに１項に記載の義足において、  前記支軸は下方が身体の内側に向けて湾曲あるいは屈曲され、前記支軸先端の地面に接する部分が身体の重心の下に位置するように構成されていることを特徴とする。
【００１４】
上記課題を解決するため、本発明の請求項１０に記載の発明は、請求項１乃至請求項９のいずれか１項に記載の義足において、前記支軸は膝位置での屈曲を可能にする膝継手手段を有することを特徴とする。
【００１５】
上記課題を解決するため、本発明の請求項１１に記載の発明は、請求項１乃至請求項１０のいずれか１項に記載の義足において、前記支軸は腰位置での屈曲を可能にする腰継手手段を有することを特徴とする。
【００１６】
上記課題を解決するため、本発明の請求項１２に記載の発明は、請求項１乃至請求項１１のいずれか１項に記載の義足において、前記支軸はその長さを調整可能な長さ調整手段を有することを特徴とする。
【００１７】
上記課題を解決するため、本発明の請求項１３に記載の発明は、請求項１乃至請求項１２のいずれか１項に記載の義足において、前記支持レバーは前記支軸に添って畳み込み可能に構成されていることを特徴とする。
【００１８】
上記課題を解決するため、本発明の請求項１４に記載の発明は、請求項１乃至請求項１３のいずれか１項に記載の義足において、前記支持レバーは前記支軸に対して任意の角度で固定可能に構成されていることを特徴とする。
【００１９】
上記課題を解決するため、本発明の請求項１５に記載の発明は、請求項１乃至請求項１４のいずれか１項に記載の義足において、前記支持レバーは前記支軸に沿って高さ位置調節可能に構成されていることを特徴とする。
【発明の効果】
【００２０】
本発明にかかる義足は、以上のように、障害のある側の体側に沿って体重を支える支軸と、この支軸に設けられ片手で握って体重を分散して歩行バランスを取る支持レバーと、支軸を使用者の身体に装着する装着手段とで構成した。これによって、
１）重心よりも高い位置に作用点が設定されるため、歩行バランスが極めてよく、短い歩行訓練期間で使用することができる。
２）汎用性があり、製造に際して専門家による型取りなどを必要とせず、製造に国家資格が不要なので、事前の量産が可能で廉価に製造することができる。
３）患部以外で体重を支持するため患部に負担がかからず、患部である切断端が痛んだり、炎症を起こすことがない。
４）体の成長に応じて使用者自身で長さなどの調整が可能であり、従来のもののように、数年毎に作り変える必要がない。
などの利点が生まれる。また、装着手段を利用者の患部の状態や使用条件によって選べる複数の方法を選択できるようにしているので、利用者に適した義足を実現することができる。
さらに、膝や腰での屈曲部と長さを調整する伸縮部を設けたので、着席時に邪魔にならず、身長に対する対応も容易である。さらに構造が簡単で大腿部の外側に装着できるので、開脚時の安定性に優れ、歩幅ストレスや走行中の違和感が少ないという効果がある。
【発明を実施するための最良の形態】
【００２１】
以下、本発明を図面を参照にして詳細に説明する。
【００２２】
図１に人体における身長に対する体重の分布状況と、従来の義足及び本発明の義足の概略構成を示した説明図である。図１において、符号１は支軸、符合１ａは膝関節器、符号１ｄは足部、符号２は支持レバー、符号３はフレーム、符号５は腰ベルト、符号８は腰金具、符合１８はソケット、符合１９は膝継手、符合２０は足部である。
人体の重心Ａは、身長の概ね５５〜５８％の位置、つまり第一仙椎の前縁部の骨盤の中央部附近にあり、図１（ａ）に示す従来の義足ではこの重心よりも低い位置にある作用点で歩行バランスを取っていた。このために、バランスが取り難く、装着後に長期間の歩行訓練を必要としていた。また、ソケット１８内の切断端で体重荷重を支える必要があるため、肉体的負担が大きいと言う問題を有していた。
これに対し、詳細を後述する図１（ｂ）に示す本発明の義足では、作用点が身長の６３％前後の高さにあたる腰ベルト５の位置Ｂにあり、さらに、手で支持レバー２を握った場合には作用点が肩位置Ｃに移るので、体重が一部にかからず広く分散され、バランスが容易にとれるという利点がある。
【００２３】
図２に、本発明の義足の一実施の形態の使用状況の模式図を示す。この方式は、体重を支えるために、支持レバーのほかに大腿部に巻いたハーネスシート（請求項３の巻装固定手段にあたる。）とそれを支持する懸垂ベルト（請求項８の懸垂手段にあたる。）とを用いた例である。図２では、下腿切断の利用者に用いた場合を示しているが、サイム切断、大腿切断の利用者にも用いることができる。図２において、符号１は支軸、符合１ａは膝関節器（請求項１０の膝継手手段にあたる。）、符号１ｂは調節管（請求項１２の調整手段を構成する。）、符号１ｃはスライド管（請求項１２の調整手段を構成する。）、符号１ｄは足部、符号１ｅは股関節器（請求項１１の腰継手手段にあたる。）、符号２は支持レバー、符号３はフレーム（請求項４の緩衝手段にあたる。）、符号４はハーネスシート、符号５は腰ベルト（請求項２の腰帯手段にあたる。）、符号６は懸垂ベルト、符号７は連結部（請求項２の接続手段にあたる。）、符号８は腰金具である。
【００２４】
支軸１はアルミ合金などの金属からなる中空パイプで構成され、調節管１ｂにスライド管１ｃを回転自在に挿通して調節ピンで高さを調節できるようになっており、歩行時に利用者の体重を支える強度を有している。支軸１がこのように構成されているので、支軸１の全長を利用者の身長に合わせて自由に調節することができ、また、左右の足のどちらにも対応することができる。
【００２５】
膝関節器１ａは歩行時に支軸１をまっすぐに固定すると共に、休息時などにおいてはこの部分で蝶番状に折り曲げることが可能なような構成になっている。股関節器１ｅも歩行時には支軸１と連結部７とをまっすぐに固定し、休息時などにおいてはこの位置でも折り曲げることが可能なような構成になっている。膝関節器１ａは市販されている膝継手を取り付けて使用することができる。
図３は、着席時の義足の使用状態の側面図である。図のＡで股関節器１ｅを、図のＢで膝関節器１ａを折り曲げることで、支軸１の足部１ｄを膝下に位置させることができ、場所を取らず楽に坐ることができる。なお、図のＣは支軸１の調節管１ｂにスライド管１ｃを挿通して高さを調節できる様子を示している。
【００２６】
支軸１の足部１ｄはゴムやプラスチックなどの比較的弾力のあるあたりの柔らかな素材で構成され、支軸１の地面と接する部分を構成する。足部１ｄは支軸１に対して交換可能に構成されていて、義足の部材として一般に市販されているものを支軸1に取り付けて用いることができ、スポーツ用のもの、衝撃吸収用のもの、滑り摩擦を大きくしたものなど目的に応じて取り替えて用いることも可能である。図４に示すように、支軸１に対して足部１ｄは任意な角度に曲げることができ、歩行に楽な構成になっている。
【００２７】
図５（ａ）に示すように、連結部７は腰金具８によって腰ベルト５に連結されており、歩行時には、図５（ｂ）に示すように、腰金具８を軸に連結部７、股関節器１ｅおよび支軸１が一連の構成で前後に揺動するようになっている。これにより、支軸１にかかる圧力は腰ベルト５に分散されると共に、支軸１は大腿部の外側に装着されて歩行時に大腿部に沿って動く。従って、支軸１の天端や連結部７、支持レバー２などが歩行の邪魔になることがなく、歩行時、静止立脚時の安定性が高い。連結部７は強化プラスチックまたは金属から構成されており、充分な強度を有すると共にショックを吸収する弾性を有している。
腰金具８は腰ベルト５に対して着脱可能に取り付けることができる。図６（ａ）に示すように、連結部７は腰金具８に対してその長さｌ、ｌ´を調整することができるように、また、図６（ｂ）に示すように、腰金具８に対してその取付角度θ、θ´を調整することができるように構成されている。
【００２８】
図７（ａ）、（ｂ）や図８（ａ）、（ｂ）に示すように、フレーム３はハーネスシート４と一体に構成された支持具であって、支軸1に対してハーネスシート４と共に上下に移動可能なように取り付けられており、支軸１を体側に密着するように働くと共に、支軸１の体側に対する当たりを和らげるように作用する。フレーム３はハーネスシート４側にクッションや緩衝材を設けても良い。図８（ａ）、（ｂ）に示すように、フレーム３は膝関節器１ａと股関節器１ｅの間の体側側で支軸１に取り付けられる。あるいは、図８（ｃ）に示すように、フレーム３を股関節器１ｅや膝関節器１ａと一体に構成しても良い。
【００２９】
ハーネスシート４は、大腿部に巻きつけることで、フレーム３および支軸1を体側に沿わせる。ハーネスシート４は、図９（ａ）に示すような片脚に巻きつけるものでも、図９（ｂ）に示すような両脚に巻きつけるものでも良い。また、簡易型として図９（ｃ）に示すように、股部分に鋏み込む袋状ハーネス４ｂに懸垂ベルト６ａ、６ｂを通したものをハーネスシート４の代わりに用いても良い。
【００３０】
ハーネスシート４は丈夫で汗を吸収し易い帆布などの繊維や皮革で形成し、図１０（ａ）に示すようにベルトや、あるいは図１０（ｂ）に示すように面ファスナーなどで締める構成とする。図１０（ｃ）に面ファスナー型のハーネスシート４の全体形状を示した。
【００３１】
ハーネスシート４には、懸垂ベルト６が取り付けられていて、この懸垂ベルト６の他の端は連結部７、腰金具８あるいは腰ベルト５に接続されている。これにより、支軸1に係る圧力をハーネスシート４から大腿部や、腰ベルト５を介して腰部分に分散することができる。懸垂ベルト６は連結部７と同様、強化プラスチックや合成繊維あるいは皮革などで形成する。懸垂ベルト６のハーネスシート４への固定は、縫製やはと目などによって行うこともできるが、強力マジックテープ（登録商標）を用いてハーネスシート４上の任意の場所を選んで取り付けることも可能である。図１１に懸垂ベルト６の末端部の形状のデザイン例を示す。懸垂ベルト６の末端部は、形は特に決まったものではないが、大腿部や臀部に密着し易い形状にして、荷重を分散し部分的に力が加わることを避けるようにする。
【００３２】
腰ベルト５は腰金具８を介して懸垂ベルト６や連結部７からの圧力を腰部分で受けて分散する役割を果たしている。腰部分にベルトをするのは、比較的自然で利用者も慣れているため、この部分に力が加わっても肉体的な負担は少ない。腰ベルト５のベルトは皮革または繊維などから作られる。
【００３３】
支持レバー２は、図１２（ａ）に示すように、支軸1に、膝関節器１ａと股関節器１ｅの間で取り付けられている。その位置は図１２（ｂ）に示すように、利用者の腕の長さに応じて上下に調整できるようになっている。また、図１３（ａ）に示す上方から見た図のように支軸1に対して水平な面内で前後に回転移動させて、その位置で固定可能な構成となっている。あるいは、水平面とは限らず、支軸１に対して任意な角度で固定できるように構成しても良い。さらに、図１３（ｂ）に示すように、支軸１に添って折畳み可能に構成し、支持レバー２を用いないときには畳んで邪魔にならないようにすることもできる。また、図１３（ｃ）に示すように、支持レバー２を股関節器１ｅと一体に構成し、高さの調節は支軸１の全長及び連結部７の長さの調節によって行っても良い。
支持レバー２は、上述の図面では体側に張り出したまっすぐな棒として表している。しかし、図１４に示すように、体側に張り出した真っ直ぐな棒（ａ）、体側で前方に張り出した真っ直ぐな棒（ｂ）、前方に直角に屈曲した棒（ｃ）、Ｔ字形に構成された棒（ｄ）など手で握って支持し易い種々の変形デザインを採ることも可能である。
【００３４】
本実施の形態は以上のように構成したので、既製品として汎用性が高く、廉価に製造でき、体重が分散されて歩行バランスが取り易く、患部に肉体的な負担がかからない義足を提供することができる。
【００３５】
図１５に、本発明の他の実施の形態の使用状況の模式図を示す。この方式は、体重を支えるために、支持レバーのほかに両脚の大腿部にはかす輪状ハーネスとそれを支持する懸垂ベルトとを用いた例である。図１５では、下腿切断の利用者に用いた場合を示しているが、サイム切断、大腿切断の利用者にも同様に用いることができる。図１５において、符号１は支軸、符号２は支持レバー、符号３はフレーム、符号４はハーネスシート、符号４ａは固定ベルト、符号５は腰ベルト、符号６は懸垂ベルト、符号８は腰金具、符号９は輪状ハーネス（請求項５の輪状固定手段にあたる。）である。
【００３６】
この実施の形態では、支軸１、支持レバー２、フレーム３、腰ベルト５及び腰金具８などは、図２の実施の形態で示したものと同様なものを用いることができる。この実施の形態が、図２のそれと異なる点は、ハーネスシート４は支軸１を体側に近づける役割だけを果たし、支軸１にかかる圧力は主として腰ベルト５と腰金具８と連結部７および輪状ハーネス９に分散される点である。従って、圧力は体の両側に分散され、障害のある側の負担が特に大きくなることはない。
【００３７】
図１５では懸垂ベルト６が何れも腰金具８側に接続されているが、輪状ハーネス９の両輪の部分から夫々腰ベルト５に向けて懸垂ベルト６を繋ぐようにしても良い。図１６は輪状ハーネス９と懸垂ベルト６との関係をより分かり易くするために抽出して示した図であり、懸垂ベルト６が腰金具８側に接続されている。
【００３８】
図１７、図１８及び図１９に、懸垂ベルト６で輪状ハーネス９を懸垂する場合の輪状ハーネス９と懸垂ベルト６と腰ベルト５の接続の具体例を示す。図１７が前から見た図、図１８が後から見た図であり、図１９には懸垂ベルト６の先端が二股に分かれている例を示している。
なお、図１５では両脚の大腿部に輪状ハーネス９をはかすようにしたが、図２０に示すように一方の脚（切断側の脚）は輪状ハーネス９に代えてハーネスシート４で置き換えても良い。
【００３９】
この実施の形態も、以上のように構成したので図２に示した実施の形態と同じように、汎用性が高く、体重が分散されて歩行バランスが取り易く、患部に肉体的な負担がかからない義足を廉価に提供することができる。
【００４０】
図２１に、本発明のさらに他の実施の形態の使用状況の模式図を示す。この方式は、体重を支えるために、支持レバーのほかにサドル式の腰掛器を用いた例である。図２１は、左足が付け根から欠損している利用者に用いた場合を示している。図２１において、符号１は支軸、符合１ｇは調節器、符合１ｆは水平管、符号２は支持レバー、符号４はハーネスシート、符号５は腰ベルト、符号６は懸垂ベルト、符号８は腰金具、符号１０はサドル（請求項７の腰掛部にあたる。）、符合１０ａはサドル固定ベルト、符合１０ｂはサドル補助板である。
【００４１】
図２１に示すこの実施の形態では、体重荷重を支えるのに自転車や一輪車などに用いられるサドル（腰掛台）１０を体重維持に用いている。さらに障害のある大腿部の付け根部分をハーネスシート４によって包んで懸垂ベルト６による懸垂を併用している。
この形式では、調節器１ｇは水平管１ｆの長さを調整することで股間のサドル１０と支軸１および支持レバー２の位置を変え、立脚時のバランスを取り易くしている。さらに、股間に設けたサドル１０を支軸１と一体化させることで、利用者の立脚時の肉体的な負担を軽減することができる。
【００４２】
この実施の形態によれば、汎用性が高く、体重が分散されて歩行バランスが取り易く、立脚時に足にかかる負担を少なくすることができ、患部に肉体的な負担がかからない義足を廉価に提供することができる。
【００４３】
ところで、歩行中は人間は身体の重心Ａと足部１ｄの中心軸を垂直線上で合わせようとする。このため、図２２に示すように、義足には身体の外側に向けて膨らむ力Ｘが働く。この力Ｘに対して義足を内側に引き寄せるように設けられるベルトの例を図２３に示す。このようにベルトで支軸１を腰ベルト（ａ）や股部（ｂ）、あるいは反対側の腰（ｃ）に引き寄せることで重心を足部上に合わせやすくし歩行を容易にすることができる。
また、予め支軸１を屈曲あるいは湾曲させておいて、身体の重心を足部１ｄの中心軸の垂直線上に位置させることもできる。図２４及び図２５に支軸を１屈曲させた例を示す。図２４は、膝関節器１ａよりも上の部分で屈曲させた例であり、図２５は、膝関節器１ａよりも下の部分で屈曲させた例である。このようにすることによって、緊張感なく歩行バランスを取ることができ、楽に歩行することができる。
【産業上の利用可能性】
【００４４】
本発明の義足は、以上のように構成したので、障害部位や利用者の身長などに関係なく、既製品として作成しておいて調整して汎用に利用することができる。従って、世界中のどのような場所のどのような人間に対しても広く利用が可能である。さらに即応性があるため、患部に支障のある場合やオーダーメイドの義足が出来上がるまでの仮使用などに用いることができる。
【図面の簡単な説明】
【００４５】
【図１】人体における身長に対する体重の分布状況と、従来の義足及び本発明の義足の概略構成を示した説明図である。
【図２】本発明の義足の一実施の形態の使用状況の模式図である。
【図３】本実施の形態の義足の着席時の使用状態の側面図である。
【図４】本実施の形態の義足の支軸と足部との屈曲状態を示す説明図である。
【図５】本実施の形態の義足の連結部、腰金具、腰ベルトおよび支軸の接続関係を示す説明図である。
【図６】本実施の形態の義足の連結部の調整状況を示す説明図である。
【図７】本実施の形態の義足の支軸とフレームとハーネスシートの位置関係を示す説明図である。
【図８】本実施の形態の義足のフレーム及びハーネスシートの支軸への取付状況を示す説明図である。
【図９】本実施の形態の義足のハーネスシートなどの取付状況を示す説明図である。
【図１０】本実施の形態の義足のハーネスシートの構成を示す図である。
【図１１】本実施の形態の義足の懸垂ベルトの末端部の形状を示す図である。
【図１２】本実施の形態の義足の支持レバーの取り付け位置とその調整方法を示す説明図である。
【図１３】本実施の形態の義足の支持レバーの取り付け角度などを示す説明図である。
【図１４】本実施の形態の義足の支持レバーに関するいくつかの変形を示す説明図である。
【図１５】本発明の義足の他の実施の形態の使用状況の模式図である。
【図１６】本実施の形態の義足の輪状ハーネスと懸垂ベルトとの接続を示す図である。
【図１７】本実施の形態の義足の輪状ハーネスと懸垂ベルトと腰ベルトの接続の具体例を前方から見た図である。
【図１８】本実施の形態の義足の輪状ハーネスと懸垂ベルトと腰ベルトの接続の具体例を後方から見た図である。
【図１９】本実施の形態の義足の輪状ハーネスと懸垂ベルトと腰ベルトの接続の具体例で懸垂ベルトの先端が二股に分かれた場合を示す図である。
【図２０】本実施の形態の義足の輪状ハーネスとハーネスシートを用いたさらに他の実施の形態の使用状況の模式図である。
【図２１】本発明の義足のさらに他の実施の形態の使用状況の模式図である。
【図２２】義足の横方向に働く力の説明図である。
【図２３】本発明の義足に用いられる横方向に働く力に抗するベルトの例を挙げた説明図である。
【図２４】本発明の義足の支軸を屈曲した例の説明図である。
【図２５】本発明の義足の支軸を屈曲した例の説明図である。
【図２６】従来のサドル型義足の使用状況の模式図である。
【符号の説明】
【００４６】
１    支軸
１ａ  膝関節器
１ｂ  調節管
１ｃ  スライド管
１ｄ  足部
１ｅ  股関節器
１ｇ  調節器
１ｆ  水平管
２    支持レバー
３    フレーム
４    ハーネスシート
４ａ  固定ベルト
４ｂ  袋状ハーネス
５    腰ベルト
６、６ａ、６ｂ    懸垂ベルト
７    連結部
８    腰金具
９    輪状ハーネス
１０  サドル
１０ａ  サドル固定ベルト
１０ｂ  サドル補助板
１１  支軸
１２  サドル
１５  締め付けバンド
１６  牽引ベルト
１７  腰ベルト
１８  ソケット
１９  膝継手
２０  足部
【図１】
2006305123.tif 000003
【図２】
2006305123.tif 000004
【図３】
2006305123.tif 000005
【図４】
2006305123.tif 000006
【図５】
2006305123.tif 000007
【図６】
2006305123.tif 000008
【図７】
2006305123.tif 000009
【図８】
2006305123.tif 000010
【図９】
2006305123.tif 000011
【図１０】
2006305123.tif 000012
【図１１】
2006305123.tif 000013
【図１２】
2006305123.tif 000014
【図１３】
2006305123.tif 000015
【図１４】
2006305123.tif 000016
【図１５】
2006305123.tif 000017
【図１６】
2006305123.tif 000018
【図１７】
2006305123.tif 000019
【図１８】
2006305123.tif 000020
【図１９】
2006305123.tif 000021
【図２０】
2006305123.tif 000022
【図２１】
2006305123.tif 000023
【図２２】
2006305123.tif 000024
【図２３】
2006305123.tif 000025
【図２４】
2006305123.tif 000026
【図２５】
2006305123.tif 000027
【図２６】
2006305123.tif 000028
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
障害のある側の体側に沿って体重を支える支軸と、
この支軸に畳み込み可能に設けられ、前記支軸から起こした状態で片手で握ることでこの支軸にかかる体重を分散し歩行バランスを取る支持レバーと、
前記支軸を使用者の身体の一部に装着し、前記支軸にかかる力を分散する装着手段とを具備することを特徴とする義足。
【請求項２】
前記装着手段は、腰部に固定され支軸にかかる力を逃す腰帯手段と、この腰帯手段と前記支軸を繋ぐ接続手段とを有することを特徴とする請求項１に記載の義足。
【請求項３】
前記装着手段は、障害のある側の大腿部にあるいは両方の大腿部のそれぞれに巻きつけて前記支軸を固定するように構成された巻装固定手段を有することを特徴とする請求項１に記載の義足。
【請求項４】
前記装着手段は、前記支軸に固着され前記支軸にかかる力を身体の広い範囲に分散する緩衝手段を有することを特徴とする請求項１に記載の義足。
【請求項５】
前記装着手段は、両脚の大腿部の根元に着く二つの輪状部分を具備する輪状固定手段を有することを特徴とする請求項１に記載の義足。
【請求項６】
前記輪状固定手段の輪状部分の一方を大腿部に巻きつけるように構成された巻装固定手段で置き換えたことを特徴とする請求項５に記載の義足。
【請求項７】
前記装着手段は、前記支軸の上部に腰掛可能に設けられた腰掛部を有することを特徴とする請求項１に記載の義足。
【請求項８】
前記装着手段は、前記腰帯手段と装着手段の他の部分を繋ぐ懸垂手段を有することを特徴とする請求項２に記載の義足。
【請求項９】
前記支軸は下方が身体の内側に向けて湾曲あるいは屈曲され、前記支軸先端の地面に接する部分が身体の重心の下に位置するように構成されていることを特徴とする請求項１乃至請求項８のいずれか１項に記載の義足。
【請求項１０】
前記支軸は膝位置での屈曲を可能にする膝継手手段を有することを特徴とする請求項１乃至請求項９のいずれか１項に記載の義足。
【請求項１１】
前記支軸は腰位置での屈曲を可能にする腰継手手段を有することを特徴とする請求項１乃至請求項１０のいずれか１項に記載の義足。
【請求項１２】
前記支軸はその長さを調整可能な長さ調整手段を有することを特徴とする請求項１乃至請求項１１のいずれか１項に記載の義足。
【請求項１３】
前記支持レバーは前記支軸に対して任意の角度で固定可能に構成されていることを特徴とする請求項１乃至請求項１２のいずれか１項に記載の義足。
【請求項１４】
前記支持レバーは前記支軸に沿って高さ位置調節可能に構成されていることを特徴とする請求項１乃至請求項１３のいずれか１項に記載の義足。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】変更
【補正の内容】
【００１８】
上記課題を解決するため、本発明の請求項１３に記載の発明は、請求項１乃至請求項１２のいずれか１項に記載の義足において、前記支持レバーは前記支軸に対して任意の角度で固定可能に構成されていることを特徴とする。
【手続補正４】
【補正対象書類名】明細書
【補正対象項目名】００１９
【補正方法】変更
【補正の内容】
【００１９】
上記課題を解決するため、本発明の請求項１４に記載の発明は、請求項１乃至請求項１３のいずれか１項に記載の義足において、前記支持レバーは前記支軸に沿って高さ位置調節可能に構成されていることを特徴とする。